(57)【要約】【課題】  異物等による装置汚れ等を有効に防止することができるシート処理装置及びシート読取装置を提供する。【解決手段】  給送トレイに積載されるシートを搬送する搬送経路を有する装置本体と、搬送経路に設けられてシートに所定の処理を施す処理手段と、装置本体の略水平方向に傾斜する端面に設けられて処理手段の動作を制御する制御画面表示手段とを備え、搬送経路は、装置本体の上端部に開口するシート取込口から装置本体の下端部に向かって延びる経路を含み、給送トレイは、装置本体の上端部に開閉自在に設けられると共に閉状態で装置本体の端面側に倒れてシート取込口及び制御画面表示手段を覆うようにする。【選択図】図１
2011073850.tif 000002
【特許請求の範囲】
【請求項１】
給送トレイに積載されるシートを搬送する搬送経路を有する装置本体と、
前記搬送経路に設けられてシートに所定の処理を施す処理手段と、
前記装置本体の端面に設けられて前記処理手段の動作を制御する制御画面表示手段とを備え、
前記給送トレイは、前記装置本体に対して開閉自在に設けられると共に閉状態で前記装置本体の端面側に倒れて前記制御画面表示手段を覆うことを特徴とするシート処理装置。
【請求項２】
給送トレイに積載されるシートを搬送する搬送経路を有する装置本体と、
前記搬送経路に設けられてシートに所定の処理を施す処理手段と、
前記装置本体の略水平方向に傾斜する端面に設けられて前記処理手段の動作を制御する制御画面表示手段とを備え、
前記搬送経路は、前記装置本体の上端部から前記装置本体の下端部に向かって延びる経路を含み、
前記給送トレイは、前記装置本体の上端部に開閉自在に設けられると共に閉状態で前記装置本体の端面側に倒れて前記制御画面表示手段を覆うことを特徴とするシート処理装置。
【請求項３】
給送トレイに積載されるシートを搬送する搬送経路を有する装置本体と、
前記搬送経路に設けられてシートに所定の処理を施す処理手段と、
前記装置本体の略水平方向に傾斜する端面に設けられて前記処理手段の動作を制御する制御画面表示手段とを備え、
前記搬送経路は、前記装置本体の上端部に開口するシート取込口から前記装置本体の下端部に向かって延びる経路を含み、
前記給送トレイは、前記装置本体の上端部に開閉自在に設けられると共に閉状態で前記装置本体の端面側に倒れて前記シート取込口及び前記制御画面表示手段を覆うことを特徴とするシート処理装置。
【請求項４】
前記給送トレイは、前記装置本体の端面側を覆う部分と前記シート取込口を覆う部分とが折り曲げ自在な関節部で連結されていることを特徴とする請求項３記載のシート処理装置。
【請求項５】
前記装置本体に対して開閉自在に設けられると共に前記装置本体から排出されるシートを受ける排出トレイをさらに備え、
前記給送トレイは、シートが積載される面側に設けられて前記排出トレイを収容可能な凹部を有し、且つ前記装置本体に対して閉状態の前記排出トレイ上に折り畳まれて前記排出トレイが前記凹部に収容されることを特徴とする請求項１〜４の何れか１項に記載のシート処理装置。
【請求項６】
前記排出トレイには、前記装置本体から排出されるシートの先端に当接するストッパが設けられ、
前記ストッパは、前記排出トレイ上で折り畳み自在に設けられると共に、前記排出トレイ上に立てた状態で前記排出トレイを閉状態とした際に前記ストッパの先端部が前記制御画面表示手段に摺接して折り畳まれるよう前記排出トレイに接続されていることを特徴とする請求項５記載のシート処理装置。
【請求項７】
前記排出トレイは、閉状態で前記装置本体のシート排出口に連通する開口部を有することを特徴とする請求項５又は６記載のシート処理装置。
【請求項８】
前記排出トレイは、前記装置本体に対して着脱自在に設けられていることを特徴とする請求項５〜７の何れか１項に記載のシート処理装置。
【請求項９】
前記制御画面表示手段の表示モードは、前記給送トレイの開動作によって起動モードに切り替わり、前記給送トレイの閉動作によって待機モードに切り替わることを特徴とする請求項１〜８の何れか１項に記載のシート処理装置。
【請求項１０】
前記処理手段の駆動モードは、前記給送トレイの開動作によって起動モードに切り替わり、前記給送トレイの閉動作によって待機モードに切り替わることを特徴とする請求項１〜９の何れか１項に記載のシート処理装置。
【請求項１１】
前記装置本体の電源は、前記給送トレイの開動作によってオンに切り替わり、前記給送トレイの閉動作によってオフに切り替わることを特徴とする請求項１〜１０の何れか１項に記載のシート処理装置。
【請求項１２】
給送トレイに積載されるシートを搬送する搬送経路を有する装置本体と、
前記搬送経路に設けられてシートの画像を読み取る画像読取手段と、
前記装置本体の端面に設けられて前記画像読取手段の動作を制御する制御画面表示手段とを備え、
前記給送トレイは、前記装置本体に対して開閉自在に設けられると共に閉状態で前記装置本体の前記制御画面表示手段を覆うことを特徴とするシート読取装置。
【発明の詳細な説明】
【技術分野】
【０００１】
本発明は、シート処理装置及びシート読取装置に関するものである。
【背景技術】
【０００２】
例えば、シート処理装置の一例である画像読取装置としては、装置本体の前面に設けられる操作表示部によるユーザ操作により、給紙トレイから１枚ずつ分離給送されるシートを画像読取部で読み取って排紙トレイに排出するものが知られている（例えば、特許文献１参照）。
【先行技術文献】
【特許文献】
【０００３】
【特許文献１】特開２００８−２５８９９３号公報
【発明の概要】
【発明が解決しようとする課題】
【０００４】
上述した特許文献１に開示の画像読取装置においては、排紙トレイを操作表示部側に倒して省スペース化を図ることができる一方、排紙トレイを操作表示部側に倒してもその上部は一部開口しているため、塵や埃あるいは紙粉等の異物が操作表示部側に入り込んで汚れてしまうおそれがある。
【０００５】
なお、上述したことは、特許文献１に開示の画像読取装置に限って発生するものではなく、他のシート処理装置においても同様に発生するおそれがある。
【０００６】
本発明は上述した事情に鑑み、異物等による装置汚れ等を有効に防止することができるシート処理装置及びシート読取装置を提供することを目的とする。
【課題を解決するための手段】
【０００７】
上記目的を達成するための本発明に係るシート処理装置は、給送トレイに積載されるシートを搬送する搬送経路を有する装置本体と、前記搬送経路に設けられてシートに所定の処理を施す処理手段と、前記装置本体の端面に設けられて前記処理手段の動作を制御する制御画面表示手段とを備え、前記給送トレイは、前記装置本体に対して開閉自在に設けられると共に閉状態で前記装置本体の端面側に倒れて前記制御画面表示手段を覆うことを特徴とする。
【０００８】
また、上記目的を達成するための本発明のシート処理装置は、給送トレイに積載されるシートを搬送する搬送経路を有する装置本体と、前記搬送経路に設けられてシートに所定の処理を施す処理手段と、前記装置本体の略水平方向に傾斜する端面に設けられて前記処理手段の動作を制御する制御画面表示手段とを備え、前記搬送経路は、前記装置本体の上端部から前記装置本体の下端部に向かって延びる経路を含み、前記給送トレイは、前記装置本体の上端部に開閉自在に設けられると共に閉状態で前記装置本体の端面側に倒れて前記制御画面表示手段を覆うことを特徴とする。
【０００９】
さらに、上記目的を達成するための本発明のシート処理装置は、給送トレイに積載されるシートを搬送する搬送経路を有する装置本体と、前記搬送経路に設けられてシートに所定の処理を施す処理手段と、前記装置本体の略水平方向に傾斜する端面に設けられて前記処理手段の動作を制御する制御画面表示手段とを備え、前記搬送経路は、前記装置本体の上端部に開口するシート取込口から前記装置本体の下端部に向かって延びる経路を含み、前記給送トレイは、前記装置本体の上端部に開閉自在に設けられると共に閉状態で前記装置本体の端面側に倒れて前記シート取込口及び前記制御画面表示手段を覆うことを特徴とする。
【発明の効果】
【００１０】
本発明は、異物等による装置汚れ等を有効に防止できるという効果を奏する。
【図面の簡単な説明】
【００１１】
【図１】実施形態１に係る画像読取装置の開状態を示す斜視図。
【図２】実施形態１に係る画像読取装置の閉状態を示す斜視図。
【図３】実施形態１に係る画像読取装置を示す概略断面図。
【図４】実施形態１に係る画像読取装置の指紋センサ部を示す概略断面図。
【図５】実施形態２に係る画像読取装置の開状態を示す斜視図。
【図６】実施形態２に係る画像読取装置の閉状態を示す斜視図。
【図７】実施形態２に係る画像読取装置を示す要部断面図。
【発明を実施するための形態】
【００１２】
以下に本発明を実施の形態に基づいて詳細に説明する。なお、以下で説明される個別の実施形態は、本発明の上位概念、中位概念および下位概念など種々の概念を理解するために役立つものである。なお、本発明の技術的範囲は、特許請求の範囲によって認定されるのであって、以下の個別の実施形態によって限定されるわけではない。
【００１３】
（実施形態１）
【００１４】
図１、図２は、本発明のシート処理装置の一例である画像読取装置の構成を示す斜視図である。なお、図１は給紙トレイを開いた状態に対応し、図２は給紙トレイを閉じた状態に対応する。また、図３は、本発明の実施形態１に係る画像読取装置を示す概略断面図である。
【００１５】
図１〜図３に示すように、１００は本実施例の画像読取装置としてのスキャナである。スキャナ１００において、１１０は下部ユニット、１２０は上部ユニットである。すなわち、スキャナ１００は、下部ユニット１１０及び上部ユニット１２０からなる上下に二分割された装置本体から構成される。上部ユニット１２０は、下部ユニット１１０の上に原稿Ｐの挿入口（シート取込口）１４０を形成するように搭載される。
【００１６】
１３０は給紙トレイ（給送トレイ）であり、挿入口１４０に挿入される原稿Ｐを載置するためのものである。原稿Ｐは、下端部を挿入口１４０に挿入した状態で、給紙トレイ１３０に表面を下向きにしてセットされる。
【００１７】
上部ユニット１２０には、液晶パネル等の表示装置を設けたフロントパネル（外装前面部）１２２がスキャナの制御画面表示手段として設けられている。このフロントパネル１２２の上面には、タッチパネル１２３が配置されている。
【００１８】
なお、表示装置やタッチパネル１２３は、直接フロントパネル１２２に取り付けられていなくてもよい。表示装置は、読み取りモードの設定や各種設定画面の表示を行うことが可能であり、タッチパネル１２３と共に本発明の操作表示部を構成して各種設定項目や読取動作の開始指示等を入力することが可能である。
【００１９】
フロントパネル１２２は、水平面に対してタッチパネル１２３の操作位置側に傾斜配置されており、タッチパネル１２３の操作面は、フロントパネル１２２の表面に対して略平行に配置されていることが好ましい。ただし、フロントパネル１２２の表面に沿う位置にタッチパネル１２３が配置されていれば十分であり、必要に応じてある程度の角度を持たせてもよい。
【００２０】
また、フロントパネル１２２には、生体認証機器としてのスイープ型指紋センサ１６０が配置されるガイド部１６１がタッチパネル１２３の側部近傍に位置して設けられている。
【００２１】
給紙トレイ１３０は、下部ユニット１１０に対して端部と端部が接するように配置され、且つ、給紙トレイ１３０の端部がその両側から下部ユニット１１０に設けられた回転支点部１１２で支持され、図２に示すように、上部ユニット１２０の上に折り畳み可能に構成される。
【００２２】
また、給紙トレイ１３０を折り畳んだ場合に、図２に示すように、給紙トレイ１３０がスイープ型指紋センサ１６０と挿入口１４０を覆うように構成されている。なお、本実施形態では、給紙トレイ１３０は、１３１でも折り畳み可能となっている。すなわち、本実施形態の給紙トレイ１３０は、上部ユニット１２０の端面側を覆う部分と挿入口１４０を覆う部分とが折り曲げ自在な関節部１３１で連結されている。
【００２３】
そして、本実施形態の画像読取装置１００においては、給紙トレイ１３０が回転支点部１１２及び間接部１３１を基点にして、上部ユニット１２０に対して開閉自在に設けられており、閉状態で上部ユニット１２０の端面（前面）側に倒れ、タッチパネル１２３を上部から覆う構造となっている。
【００２４】
また、図１〜図３に示すように、下部ユニット１１０は、原稿Ｐが排出される排出口１４１が設けられている。
【００２５】
また、樹脂成形等で形成された上部ユニット１２０と下部ユニット１１０との間には、直線状の搬送経路１４２が表示装置と略平行になるように設けられている。
【００２６】
搬送経路１４２には、給送ローラ２０１、分離ローラ２０２、搬送ローラ対２０３、及び、排紙ローラ対２０４が配設されている。また、搬送ローラ対２０３と排紙ローラ対２０４との間には、密着型イメージセンサ（ＣＩＳ：コンタクトイメージセンサ）等で構成される画像読取部２１０、画像読取部２１１が配設されている。
【００２７】
なお、下部ユニット１１０内の底部を覆う底板１９１は、回路基板１９２が固定されている。下部ユニット１１０の背面側は、背面カバー１１１により覆われている。
【００２８】
上記構成のスキャナ１００においては、給紙トレイ１３０上に積載された原稿Ｐは、給送ローラ２０１と分離ローラ２０２とによって１枚ずつ分離されて搬送ローラ対２０３へ給送される。
【００２９】
また、原稿Ｐは、搬送ローラ対２０３によって画像読取部２１０及び画像読取部２１１へ一定速度で搬送され、画像読取部２１０で原稿Ｐの裏面の画像が読み取られ、続いて画像読取部２１１で原稿Ｐの表面の画像が読み取られる。その後、原稿Ｐは、排紙ローラ対２０４により排出口１４１から排出される。
【００３０】
なお、原稿Ｐは、紙に限られるものではなく、各種素材のシート材を含むものとする。
【００３１】
ここで、本実施形態の画像読取装置においては、上述したように、給紙トレイ１３０が回転支点部１１２及び間接部１３１を基点にして、上部ユニット１２０に対して開閉自在に設けられている。
【００３２】
これにより、スキャナ１００の使用時は、給紙トレイ１３０を開状態としてタッチパネル１２３を開放してユーザ操作が可能な状態とし、非使用時は給紙トレイ１３０を上部ユニット１２０の端面（前面）側に倒して閉状態としてタッチパネル１２３を覆うようにしたので、給紙トレイ１３０の必要最小限の開閉動作により、使用時以外はタッチパネル１２３を有効に保護することができる。
【００３３】
また、本実施形態では、上部ユニット１２０の上端部側に給紙トレイ１３０を設け、装置上方側からタッチパネル１２３を覆うようにしたので、例えば、装置本体を移動したり外部衝撃を受けたりしても、確実にタッチパネル１２３を覆った状態を保つことができる。
【００３４】
例えば、排紙トレイを設けて、排紙トレイでタッチパネル１２３を覆うことも考えられるが、本体移動時や外部衝撃等で排紙トレイが倒れるおそれがあり、あるいは、倒れないような機構を設ける必要がある。本実施形態では、給紙トレイ１３０で装置上方側から上部ユニット１２０を覆うようにしているので、余計なトレイ保持機構等を設けなくても、タッチパネル１２３を覆った装置姿勢を良好に保つことができる。
【００３５】
そして、本実施形態の画像読取装置によれば、非使用時はタッチパネル１２３を給紙トレイ１３０で覆うことができるため、タッチパネル１２３に塵や埃等の異物が付着することを有効に防止することができる。
【００３６】
また、本実施形態では、閉状態で給紙トレイ１３０によって挿入口１４０も覆うようにしたので、給紙トレイ１３０の開閉動作だけで、挿入口１４０からの異物混入を有効に防止することができる。
【００３７】
ここで、図４には、図１に示したスイープ型指紋センサ１６０を配置するガイド部１６１の概略断面図を示す。図４に示すように、スイープ型指紋センサ１６０を配置するガイド部１６１は、スイープ面１６２、突き当て面１６３、及び、規制ガイド１６４，１６５を有している。
【００３８】
スイープ面１６２は、フロントパネル１２２に対して操作位置から見て奥側が該フロントパネル１２２から離れる方向に傾斜して配置され、指の腹を接触させた状態で、該指を付け根側の方向（Ｂ方向）へ移動可能に案内するガイド面とされている。
【００３９】
そして、スイープ面１６２の指の移動方向（Ｂ方向）に沿う位置には、スイープ型指紋センサ１６０が配置されている。なお、ガイド面としてのスイープ面１６２は、スイープ面１６２に沿う指の移動経路を略水平とするか、又は該移動経路の指の付け根側を高くするように形成されている。このように、傾斜面（フロントパネル１２２）に凹部のガイド部１６１を設けて、スイープ面を略水平等にすることで、指を動かし易くすることができる。
【００４０】
突き当て面１６３は、指の先端が突き当て可能とされており、該突き当て時に、スイープ面１６２での指の動作の初期位置を位置決めする。この突き当て面１６３を設けることにより、ユーザに指で撫でるべき範囲（指先を置く位置）を視覚的および触覚的に認識させることが可能である。
【００４１】
規制ガイド１６４，１６５は、指の左右の側部の位置を規制する。規制ガイド１６４は、指の右側部（図面手前側部）の位置を規制する。規制ガイド１６５は、指の左側部（図面奥側部）の位置を規制する。このように、ガイド部１６１は、指の移動方向（Ｂ方向）から見た断面が凹形状に形成されている。
【００４２】
このような構成の場合、スイープ型指紋センサ１６０により指紋を検出する際には、まず、指の先端を突き当て面１６３に突き当てて、スイープ面１６２での指の動作の初期位置を位置決めする。このとき、指の第１関節付近がスイープ型指紋センサ１６０のライン状の読取部１６６に位置するようになっており、この状態から指の腹をスイープ型指紋センサ１６０の読取部１６６に密着させたまま、スイープ面１６２に沿って指の付け根側の方向である矢印Ｂ方向に動かすことにより、動かした指の指紋が検出される。
【００４３】
検出された指紋情報は、回路基板１９２上の認証部（ＣＰＵ等）によって、予め不図示の記憶部に記憶させておいたユーザ固有の指紋情報と照合され、照合結果に基づいてユーザ認証が行われる。なお、上記認証部は、例えば、回路基板１９２上のＣＰＵが回路基板１９２上のＲＯＭに格納されるプログラムを読み出して実行することにより実現される機能である。
【００４４】
図２のように、スキャナ１００の未使用時は、給紙トレイ１３０が挿入口１４０とフロントパネル１２２、スイープ型指紋センサ１６０、及びそのガイド部１６１を覆うように閉じられる（折り畳まれる）。このように、給紙トレイ１３０が閉じられた場合（折り畳まれた場合）、挿入口１４０からのスキャナ装置内部への埃や塵等の異物混入、フロントパネル１２２やスイープ型指紋センサ１６０への埃や塵等の付着、ガイド部１６１への埃や塵等の堆積等を防止することが可能となる。これにより、埃や塵の堆積により、指紋センサの認識率が低下することを抑えることができ、ユーザの指紋認証を正確に行うことができるという効果もある。
【００４５】
さらに、スキャナ１００に備えられている給紙トレイ１３０で、スイープ型指紋センサ１６０を覆い隠すので、余計な部品を追加しないで、低コストな防塵対策ができる。
【００４６】
（実施形態２）
【００４７】
図５は、本発明の実施形態２に係る画像読取装置の開状態を示す概略斜視図である。また、図６は、本発明の実施形態２に係る画像読取装置の閉状態を示す概略斜視図である。さらに、図７は、本発明の実施形態２に係る画像読取装置の要部拡大断面図である。
【００４８】
本実施形態の画像読取装置（スキャナ１００）は、図５に示すように、装置本体に対して開閉自在に設けられて装置本体から排出されるシートを受ける排出トレイを備えた構造例であり、基本的な構造は上述した実施形態１と同様である。なお、本実施形態では、上述した実施形態１と同一構成部分については同一符号を付して重複する説明は省略する。
【００４９】
具体的には、本実施形態は、実施形態１の構成に加えて、原稿の排出口１４１側に排紙トレイを取り付けたものである。
【００５０】
また、図５及び図６に示すように、給送トレイ１３０は、シートが積載される面側に設けられて排出トレイ１５０を収容可能な凹部２００を有する。そして、装置本体（上部ユニット１２０及び下部ユニット１１０）に対して閉状態の排出トレイ１５０上に折り畳まれ、その際、排出トレイ１５０は凹部２００に収容されるようになっている。
【００５１】
排紙トレイ１５０は、下部ユニット１１０に対して端部と端部が接するように配置され、且つ、排紙トレイ１５０の端部がその両側から下部ユニット１１０に設けられた回転支点部１１３で支持され、図６に示すように、上部ユニット１２０の上に折り畳み可能に構成される。さらに、排紙トレイ１５０を折り畳んだ場合に、排紙トレイ１５０がスイープ型指紋センサ１６０と挿入口１４０を覆うように構成されている。
【００５２】
スキャナ１００の使用時は、図５のように、外装カバーを構成する給紙トレイ１３０が開かれ、次に、排紙トレイ１５０が開かれる。スキャンすべき原稿は、給紙トレイ１３０の上に載置されて、通常のように紙送りがなされて、画像の読み取りが行われた後、排出口１４１から排紙トレイ１５０の上に排出される。
【００５３】
スキャナ１００の未使用時は、図６のように、先に排紙トレイ１５０が閉じられ（折り畳まれ）、次に給紙トレイ１３０を閉じる（排紙トレイ１５０の上に折り畳まれる）構成とする。給紙トレイ１３０を閉じたときに、排紙トレイ１５０の上面に隙間無く重ねられるよう構成される。
【００５４】
なお、給紙トレイ１３０の原稿載置面には、図７に示すように、先に閉じた排紙トレイ１５０を収納するために排紙トレイ１５０の形状に対応した形状の凹部２００が設けられている。
【００５５】
そして、図６のように、排紙トレイ１５０、給紙トレイ１３０の順にトレイを閉じた場合、閉じられた給紙トレイ１３０の上面（原稿載置面と反対の面）は、上部ユニット１２０及び下部ユニット１１０と連続した曲面形状を構成する。
【００５６】
このような構成により、装置の側面側から排紙トレイ１５０が見えず、デザイン性を良くし、違和感の無いデザインとすることができる。
【００５７】
また、使用しない場合に体積的な占有率を小さくして、圧迫感を避け得るだけでなく、シート材の挿入口１４０等からの装置内部への埃の侵入や、指紋センサ１６０への埃の堆積を抑えることが可能となる。
【００５８】
本実施形態においても、上述した実施形態１と同様に、未使用時、給紙トレイ１３０と排紙トレイ１５０が閉じられることにより、挿入口１４０や排出口１４１からのスキャナ装置内部への埃や塵等の異物混入、フロントパネル１２２やスイープ型指紋センサ１６０への埃や塵等の付着、ガイド部１６１への埃や塵等の堆積等を防止することが可能となる。
【００５９】
図６のように、スキャナ１００の未使用時は、給紙トレイ１３０や排紙トレイ１５０が、挿入口１４０、フロントパネル１２２、スイープ型指紋センサ１６０、及びそのガイド部１６１を覆うように閉じられる（折り畳まれる）。このように、給紙トレイ１３０や排紙トレイ１５０が閉じられた場合（折り畳まれた場合）、挿入口１４０からのスキャナ装置内部への埃や塵等の異物混入、フロントパネル１２２やスイープ型指紋センサ１６０への埃や塵等の付着、ガイド部１６１への埃や塵等の堆積等を防止することが可能となる。これにより、埃や塵の堆積により、指紋センサの認識率が低下することを抑えることができ、ユーザの指紋認証を正確に行うことができるという効果もある。
【００６０】
また、給紙トレイ１３０及び排紙トレイ１５０を折り畳んだ状態においては、排紙トレイ１５０が給紙トレイ１３０により実質的に覆われているので、本体移動時や外部衝撃等で排紙トレイが倒れることがない。したがって、余計なトレイ保持機構等を設けなくても、タッチパネル１２３を覆った装置姿勢を良好に保つことができる。
【００６１】
さらに、スキャナ１００に備えられている給紙トレイ１３０や排紙トレイ１５０で、スイープ型指紋センサ１６０を覆い隠すので、余計な部品を追加しないで、低コストな防塵対策ができる。
【００６２】
（他の実施形態）
【００６３】
以上、本発明を実施形態１及び２に基づいて説明したが、本発明は上述した実施形態１及び２に限定されるものではない。例えば、上述した実施形態１及び２では、装置１００本体の後方上部にシート材の挿入口を設け、該挿入口から挿入されるシート材を搬送して装置１００本体の前方下部に設けられた排出口から排出する構造例を説明したが、勿論これに限定されず、例えば、挿入口から排出口までの搬送経路が略水平に構成されるものであってもよい。
【００６４】
また、上述した実施形態１及び２では、本発明のシート材給送装置の一例として画像読取装置（スキャナ）を示したが、画像読取装置（スキャナ）以外のシート材給送装置に本発明を適用してもよい。例えば、本発明のシート材給送装置をプリンタとしてもよい。
【００６５】
さらに、上述した実施形態２では、排紙トレイ１５０により排出口１４１を覆った構造例を説明したが、本発明は勿論これに限定されず、例えば、排出トレイの閉状態で装置本体のシート排出口に連通する開口部を排出トレイに設けるようにしてもよい。これにより、排出トレイを閉状態としても、排出口１４１及び開口部からシートの排出を行うことができる。
【００６６】
また、本発明では、制御画面表示手段（タッチパネルにおける画面表示等）のバックライトを所定時間経過後に消灯するように設定してもよいし、装置電源等を所定時間経過後にオフするようにしてもよい。さらに、上述した実施形態１又は２では、給紙トレイを開閉自在に設けた構造例を説明しているが、給紙トレイの開閉動作によって制御画面表示手段（タッチパネルにおける画面表示等）の制御を行うようにしてもよい。この場合には、給紙トレイの開閉を検知する開閉検知センサを設けて、装置本体の制御部（ＣＰＵ等）が給紙トレイの開閉信号を受信するようにして開閉動作を監視できるようにする。そして、装置本体の制御部は、例えば、制御画面表示手段の表示モードを給送トレイの開動作によって起動モードに切り替えたり、給送トレイの閉動作によって待機モードに切り替えたりする制御を行うようにしてもよい。また、画像読取等の処理手段の駆動モードを給送トレイの開動作によって起動モードに切り替えたり、給送トレイの閉動作によって待機モードに切り替えたりする制御を行ってもよい。あるいは、装置本体の制御部に電源制御手段を設けて、画像読取装置の装置本体電源を給送トレイの開動作によってオンに切り替えたり、給送トレイの閉動作によってオフに切り替えたりする制御を行うようにしてもよい。
【００６７】
なお、図示しないが、排出トレイに装置本体から排出されるシートの先端に当接するストッパを設けるようにしてもよい。この場合、ストッパは、排出トレイ上で折り畳み自在に設けられる。なお、排出トレイ上にストッパを立てた状態のまま排出トレイを閉状態とした場合にストッパの先端部がタッチパネルに摺接して折り畳まれるようにしていることが好ましい。このようにストッパを設けることにより、排紙されるシートの排出方向の整列性を向上することができる。
【符号の説明】
【００６８】
１００  スキャナ
１１０  下部ユニット
１２０  上部ユニット
１２２  フロントパネル
１３０  給紙トレイ
１４０  挿入口
１４１  排出口
１５０  排紙トレイ
１６０  スイープ型指紋センサ
２００  凹部
【図１】
2011073850.tif 000003
【図２】
2011073850.tif 000004
【図３】
2011073850.tif 000005
【図４】
2011073850.tif 000006
【図５】
2011073850.tif 000007
【図６】
2011073850.tif 000008
【図７】
2011073850.tif 000009